(57)【要約】【課題】  構造が簡単であると共に、使用の利便性が高いヘッドホン用スイッチを提供する。【解決手段】  ヘッドバンド（１１）の両端にイヤークッションを有するスピーカー部（１０）が設けられるヘッドホンに使用されるヘッドホン用スイッチであって、  ヘッドバンド（１１）に溝（１２）が形成され、溝（１２）の中央部にスイッチボタンを有する押圧式スイッチ（１３）が設けられると共に、スイッチボタンを押圧可能な弾性プレート（１４）が設けられることを特徴とする。【選択図】        図１
2006109202.tif 000002
【特許請求の範囲】
【請求項１】
ヘッドバンドの両端にスピーカー部が設けられるヘッドホンに使用されるヘッドホン用スイッチであって、
該ヘッドバンドの中央部に溝が形成され、該溝の中央部にスイッチボタンを有する押圧式スイッチが設けられると共に、前記スイッチボタンと隙間を空けて該スイッチボタンを押圧可能な弾性プレートが設けられることを特徴とするヘッドホン用スイッチ。
【請求項２】
前記溝がヘッドバンドの中央部に設けられ、該溝の中央部に押圧式スイッチを設けるための取付座が設けられ、前記スイッチボタンに対する弾性プレートの一端にスイッチボタンを押圧可能な押圧部が設けられることを特徴とする請求項１に記載のヘッドホン用スイッチ。
【請求項３】
前記弾性プレートがヘッドバンドと一体に形成されることを特徴とする請求項１又は２に記載のヘッドホン用スイッチ。
【発明の詳細な説明】
【技術分野】
【０００１】
本発明は、特に構造が簡単であると共に、使用の利便性が高いヘッドホン用スイッチに関するものである。
【背景技術】
【０００２】
一般にテレビやＣＤプレーヤー等の音出力装置に接続されて使用され、音信号を聞き取る装置としては、ヘッドホンとイヤホンとがある。イヤホンは、体積が小さく携帯が便利であるが、音声に優れないという欠点があり、一方、ヘッドホンは音声に優れるが、体積が大きいという欠点を有するので、所定の場所（例えば家庭、ＣＤレコードなどの売り場又は車内）でのみ使用されている。
【０００３】
又、従来のヘッドホンにはステレオとの間に設けられるワイヤーが使用者の邪魔にならないようにするために、ワイヤーレスのものも製造されている。
【０００４】
しかしながら、前記ワイヤーレスのヘッドホンにおけるスイッチは殆どイヤークッションを有するスピーカー部に設けられるため、使用時の利便性に優れないという欠点を有する。これに鑑み、その後、使用時の利便性を向上するために、スピーカー部が使用者のイヤーと接触すること（即ち、ヘッドホンを使用者の頭に装着する）により、ヘッドホンの回路が起動するスイッチが開発された。尚、このようなヘッドホンはよく使用されるものであるため、特に特許文献又は非特許文献には記載されていない。
【発明の開示】
【発明が解決しようとする課題】
【０００５】
しかしながら、前記ヘッドホンは不使用状態で振動を受けた場合（例えば車内で使用する場合）、該振動でスピーカー部が互いに押圧し合うことにより、ヘッドホンの回路が起動してしまうことがあるので、余計な電力を損耗してしまう恐れがある。
【０００６】
そこで、出願されたのが本発明であって、構造が簡単であると共に、使用の利便性が高いヘッドホン用スイッチを提供することを目的としている。
【課題を解決するための手段】
【０００７】
本願の請求項１の発明は、ヘッドバンドの両端にスピーカー部が設けられるヘッドホンに使用されるヘッドホン用スイッチであって、
該ヘッドバンドに溝が形成され、溝の中央部にスイッチボタンを有する押圧式スイッチが設けられると共に、前記スイッチボタンと隙間を空けてスイッチボタンを押圧可能な弾性プレートが設けられることを特徴とするヘッドホン用スイッチ及び、
本願の請求項２の発明は、前記溝がヘッドバンドの中央部に設けられ、該溝の中央部に押圧式スイッチを設けるための取付座が設けられ、前記スイッチボタンに対する弾性プレートの一端にスイッチボタンを押圧可能な押圧部が設けられることを特徴とする請求項１に記載のヘッドホン用スイッチ及び、
本願の請求項３の発明は、前記弾性プレートがヘッドバンドと一体に形成されることを特徴とする請求項１又は２に記載のヘッドホン用スイッチ、を提供する。
【発明の効果】
【０００８】
本発明は上記の課題を解決するものであり、ヘッドホンの中央部に溝を形成し、該溝の中央部にスイッチボタンを有する押圧式スイッチを設けると共に、一端にスイッチボタンと対応する押圧部を有する弾性プレートを設けることにより、簡単な構造とすることができるるとともに、ヘッドホンの回路の起動状態（オンオフ）を使用状態に応じて簡単に制御することができるという使用の利便性を向上できる。なお具体的には、非使用時には、不必要にヘッドホンの回路が起動（オン）してしまうことを防止することができ、ひいては、電力を無駄に消費（損耗）してしまうことを防止できる。
【発明を実施するための最良の形態】
【０００９】
以下、添付図面を参照して本発明の好適な実施の形態を詳細に説明する。
【００１０】
図１は本発明に係るヘッドホン用スイッチの使用状態を示す斜視図であり、図２は図１の平面図であり、図３は図１の部分断面図であり、図４は本発明に係るヘッドホン用スイッチの使用状態を示す部分断面図である。
【００１１】
図１乃至図３に示すように、本発明に係るヘッドホン用スイッチはヘッドバンド（１１）の両端にイヤークッションを有するスピーカー部（１０）が設けられるヘッドホンに使用されるものであり、該ヘッドバンド（１１）の中央部に溝（１２）が形成されると共に、溝（１２）の中央部（使用者に装着された状態におけるヘッドバンド（１１）頂部となる位置）に取付座（１１０）が設けられ、該取付座（１１０）にスイッチボタン（１３０）を有する押圧式スイッチ（１３）が設けられている。また、溝（１２）には、スイッチボタン（１３０）に対応する押圧部（１４０）を有する弾性プレート（１４）がヘッドバンド（１１）と一体に形成される。なお、具体的には、弾性プレート（１４）の一端部には、スイッチボタン（１３０）を押圧可能な押圧部（１４０）が形成され（図に示すように弾性プレート（１４）の端面により押圧部（１４０）を構成しても良いし、別部材により構成しても良い。）、弾性プレート（１４）の他端部は、ヘッドバンド（１１）と一体に形成されている（一体に形成するとは、弾性プレート（１４）がヘッドバンド（１１）と共に一体成形すること、および、溝（１２）を先に形成し、その後、溝（１２）内に弾性プレート（１４）を後付けすることの両方を含む。）。なお、スイッチボタン（１３０）と押圧部（１４０）との間には隙間（１５０）が設けられている。
【００１２】
本発明に係るヘッドホン用スイッチを使用しない場合、弾性プレート（１４）の押圧部（１４０）と押圧式スイッチ（１３）のスイッチボタン（１３０）との間に隙間（１５０）を有することにより、押圧式スイッチ（１３）のスイッチボタン（１３０）が何らの圧力を受けないので、ヘッドホンの回路が起動しない状態を維持する。
【００１３】
又、図１及び図４に示すように、本発明に係るヘッドホン用スイッチを使用する場合、即ち、スピーカー部（１０）を使用者のイヤーに掛ける場合には、通常、スピーカー部（１０）が外側に広げられる。すると、スピーカー部（１０）が取着しているヘッドバンド（１１）も曲率が小さくなるように延ばされて、弾性プレート（１４）の押圧部（１４０）と押圧式スイッチ（１３）のスイッチボタン（１３０）との間の隙間（１５０）も狭くなる。この際、ヘッドバンド（１１）の溝（１２）における弾性プレート（１４）の押圧部（１４０）が押圧式スイッチ（１３）のスイッチボタン（１３０）を押圧し、ヘッドホンの回路を起動するのである。
【００１４】
又、図１及び図３に示すように、ヘッドホンを使用しない場合、即ち、スピーカー部（１０）を使用者のイヤーから取外された場合には、ヘッドバンド（１１）が元の形状に戻るので隙間（１５０）も広がり、弾性プレート（１４）の押圧部（１４０）が押圧式スイッチ（１３）のスイッチボタン（１３０）と離れ、ヘッドホンの回路が切断（オフ）される。これにより、非使用時に不用意に回路が起動（オン）してしまうことを防止でき、ひいては、ヘッドホンの電力を無駄に消費してしまうことを防止できる。
【００１５】
本発明に係るヘッドホン用スイッチがヘッドバンド（１１）における溝（１２）の中央部に設けられるので、スピーカー部（１０）が外力を受けても不用意にヘッドホンの回路を起動してしまうことを防止でき、又、本発明は押圧式スイッチ（１３）をヘッドバンド（１１）の溝（１２）に設けることだけで、他の補助部材を一切使用していないので、極めて簡単の構造で、ヘッドホンの回路の起動状態（オンオフ）を制御することができる。
【００１６】
以上、実施の形態に基づき、本発明を説明したが、上記実施の形態は、本発明の趣旨を逸脱しない範囲内で種々の改良変形が可能であり、本発明の技術的範囲には、これらの改良変形も含まれる。
【００１７】
上記実施の形態によれば、外側に設けられたヘッドバンド（１１）に本発明に係るスイッチが設けられている。しかしながら、ヘッドバンド（１１）の内側に設けられている内側取付座（１１１）を省略しても良い。
【００１８】
なお、本発明の最上位概念を、特許請求の範囲の記載に合わせて記載する。
【００１９】
ヘッドバンド（１１）の両端にスピーカー部（１０）が設けられるヘッドホンに使用されるヘッドホン用スイッチであって、前記ヘッドバンド（１１）に設けられ、スイッチボタン（１３０）を有する押圧式スイッチ（１３）を備えており、前記スピーカー部（１０）を外側に広げた場合に前記スイッチボタン（１３０）を押圧する押圧部（１４０）を備えていることを特徴とするヘッドホン用スイッチ。
【産業上の利用可能性】
【００２０】
本発明は上記の構造を有するので、ヘッドホンの中央部に溝を形成し、該溝の中央部にスイッチボタンを有する押圧式スイッチを設けると共に、一端にスイッチボタンと対応する押圧部を有する弾性プレートを設けることにより、ヘッドホンにおける回路の制御を簡単に行うことができる。
【図面の簡単な説明】
【００２１】
【図１】本発明に係るヘッドホン用スイッチの使用状態を示す斜視図である。
【図２】図１の平面図である。
【図３】図１の部分断面図である。
【図４】本発明に係るヘッドホン用スイッチの使用状態を示す部分断面図である。
【符号の説明】
【００２２】
１０        スピーカー部
１１        ヘッドバンド
１１０      取付座
１１１      内側取付座
１２        溝
１３        押圧式スイッチ
１３０      スイッチボタン
１４        弾性プレート
１４０      押圧部
１５０      隙間
【図１】
2006109202.tif 000003
【図２】
2006109202.tif 000004
【図３】
2006109202.tif 000005
【図４】
2006109202.tif 000006